(57)【要約】【課題】制御盤装置に収納する器機に設計変更があっても影響を受けない換気冷却ユニット付き制御盤装置を提供する。【解決手段】外部に連通する開口部を側面に有する制御盤装置の筐体２の側面に接続され、筐体２の開口部と連通する換気口１０から、筐体２の内気を筐体前面方向へ排出する排気モジュール４１および、筐体２の側面の開口部に連通し筐体２の前面方向に開いた換気口１０から、外気を筐体２内部に吸入する吸気モジュール４１を組み合わせた換気冷却ユニット４を備えることにより、収納する器機の配置や発熱量に応じて簡単に構成を変更でき、盤装置本体の設計に影響を与えない換気冷却ユニット付き制御盤装置１を提供できる。【選択図】図１
2010246326.tif 000002
【特許請求の範囲】
【請求項１】
外部に連通する開口部を側面に有する制御盤装置の筐体と、
この筐体の前記側面に接続され、前記筐体の開口部と連通する換気口から、前記筐体の内気を前記筐体前面方向へ排出する排気モジュールおよび、前記開口部に連通し前記筐体の前面方向に開いた換気口から、外気を前記筐体内部に吸入する吸気モジュールを組み合わせた換気冷却ユニット
とを備えたことを特徴とする換気冷却ユニット付き制御盤装置。
【請求項２】
前記排気モジュール及び前記吸気モジュールは同じ換気モジュールを上下反転させて使用することを特徴とする請求項１に記載の換気冷却ユニット付き制御盤装置。
【請求項３】
前記換気モジュールは前記筐体の右側面にも左側面にも取り付け可能である請求項２に記載の換気冷却ユニット付き制御盤装置。
【請求項４】
前記制御盤装置の筐体間に挟まれて設置される前記換気モジュールは、いずれか一方の筐体とのみ連通することを特徴とする請求項２又は請求項３に記載の換気冷却ユニット付き制御盤装置。
【請求項５】
前記換気モジュールにはファンを備えたことを特徴とする請求項２乃至請求項４のいずれか１項に記載の換気冷却ユニット付き制御盤装置。
【請求項６】
前記換気冷却ユニットは、前記換気モジュールを積層して配置したことを特徴とする請求項２乃至請求項５のいずれか１項に記載の換気冷却ユニット付き制御盤装置。
【請求項７】
前記筐体の一方の側面から前記外気を吸入し、他方の側面から前記内気を排出することを特徴とする請求項１乃至請求項６のいずれか１項に記載の換気冷却ユニット付き制御盤装置。
【発明の詳細な説明】
【技術分野】
【０００１】
この発明は、横方向に連結して設置される制御盤装置（列制御盤）の内気を換気冷却する装置付き制御盤装置に関するものである。
【背景技術】
【０００２】
従来の制御盤装置においては、それぞれの制御盤の前面、裏面、または上面に換気冷却ユニットを設けることにより制御盤装置の冷却を行っている。（例えば特許文献１参照）
ここで開示されている制御盤装置においては、各制御盤装置の扉の下部に設けた吸気口から外気を吸入し、これを制御盤装置内部の換気通路を経由させて最後に上部に設けた排気口から排出している。
【先行技術文献】
【特許文献】
【０００３】
【特許文献１】特公開昭６１−１１７８９４（２ページ目、発明の概要）
【発明の概要】
【発明が解決しようとする課題】
【０００４】
このような従来の制御盤装置では、個別の制御盤装置ごとに、吸気口、外気の循環通路、排気口、ファン等の取り付け位置に関する構造設計を行う必要があり、制御盤装置に収納する設備が変われば、これらの設計もその都度変更し、制御盤装置の設計工程が多くなるという問題があった。
【０００５】
この発明は、上記のような問題を解決するためになされたものであり、制御盤装置に収納する器機に設計変更があっても影響を受けない換気冷却ユニット付き制御盤装置の提供を目的とする。
【課題を解決するための手段】
【０００６】
この発明に係る換気冷却ユニット付き制御盤装置は、
外部に連通する開口部を側面に有する制御盤装置の筐体と、
この筐体の側面に接続され、筐体の開口部と連通する換気口から、筐体の内気を筐体前面方向へ排出する排気モジュールおよび、開口部に連通し筐体の前面方向に開いた換気口から、外気を筐体内部に吸入する吸気モジュールを組み合わせた換気冷却ユニット
とを備えたことを特徴とするものである。
【発明の効果】
【０００７】
この発明による換気冷却ユニット付き制御盤装置は、
外部に連通する開口部を側面に有する制御盤装置の筐体と、
この筐体の側面に接続され、筐体の開口部と連通する換気口から、筐体の内気を筐体前面方向へ排出する排気モジュールおよび、開口部に連通し筐体の前面方向に開いた換気口から、外気を筐体内部に吸入する吸気モジュールを組み合わせた換気冷却ユニット
とを備えたことを特徴とするものなので、制御盤装置に収納する器機の機種変更によって発生する換気冷却ユニットの設計変更を必要としない換気冷却ユニット付き制御盤装置を提供できる。
【図面の簡単な説明】
【０００８】
【図１】この発明の換気冷却ユニット付き制御盤装置の実施の形態１における前面パネルを取り外した斜視図である。
【図２】この発明の換気冷却ユニット付き制御盤装置の実施の形態１における制御盤筐体の斜視図である。
【図３】この発明の換気冷却ユニットを構成する換気モジュールの実施の形態１における斜視図である。
【図４】この発明の換気冷却ユニット付き制御盤装置の実施の形態１における断面図である。
【図５】この発明の換気冷却ユニット付き制御盤装置の実施の形態２における前面パネルを取り外した斜視図である。
【図６】この発明の換気冷却ユニット付き制御盤装置の実施の形態２における断面図である。
【図７】この発明の換気冷却ユニット付き制御盤装置の実施の形態３における断面図である。
【発明を実施するための形態】
【０００９】
実施の形態１．
この発明の換気冷却ユニット付き制御盤装置の実施の形態１を図に基づいて説明する。
図１は、前面パネルを外した換気冷却ユニット付き制御盤装置１の斜視図である。換気冷却ユニット付き制御盤装置１（以下装置１という）は、２台の制御盤筐体２（以下筐体２という）を換気冷却ユニット４を間に挟んで接続し、更にそれぞれの筐体２の反対の側面に換気冷却ユニット４を接続して構成されている。図においては装置１の左右の側面は、筐体の増設に備えて化粧処理を施していない状態を示している。
図２は筐体２を示す斜視図である。筐体２の側面は両側共に枠を有するだけで、外気に開放されている。
【００１０】
図３は換気冷却ユニット４の構成単位である換気モジュール４１を示す斜視図である。換気モジュール４１は金属板で構成され、Ａ面側の側板には通常の板を、Ｂ面側の側板にはメッシュ板を使用しており、中は中空である。またＡ面側の側板にはラジアルファンを取り付けることができる。
換気モジュール４１の手前側は開放しており、ここが換気口４２となる。
換気モジュール４１の上下の面にはボルト穴４４を設けており、このボルト穴４４にボルトを通して別の換気モジュール４１を積み重ねて固定することによって換気冷却ユニット４を構成する。
【００１１】
換気モジュール４１は、上下を反転させてボルトで固定するとＡ面Ｂ面を反対側にして取り付けることができる。
換気口４２から換気モジュール４１に吸入される外気はメッシュ板の隙間５を通ってこれに連通する筐体２の開口部３から筐体２内部に入り、内気は逆にメッシュ板の隙間５から換気口４２へと排出される。このように、同じ換気モジュール４１が排気モジュール又は吸気モジュールとして機能する。
図４は装置１の断面図であり、各換気冷却ユニット４の換気モジュール４１の配置を示している。  
【００１２】
この構成によると、それぞれの筐体２の右側の換気冷却ユニット４の下２段の換気モジュール４１（吸気モジュール）から外気を筐体２内部に吸入し、筐体２に収納した器機の熱によって暖められ上昇した内気を筐体２の左側にある換気冷却ユニット４の上２段の換気モジュール４１（排気モジュール）から外部に排出できる。
全体としての吸排気の状況は図１矢印の方向になる。
【００１３】
この実施の形態によれば、個別の制御盤装置の種類毎に専用の換気冷却設備を設計する必要がないので制御盤装置の設計コストを大幅に低減できる。
また、１種類の換気モジュール４１だけで全ての換気冷却ユニット４を構成できるので、無駄のない部品調達ができる。
また、１種類の換気モジュール４１を組み合わせるだけで、換気冷却ユニット４を自由に構成することができるので、発熱量があまり多くない装置を収納した制御盤装置の場合、強制的に内気を外部に排気するファンを設けなくとも、自然対流だけで暖気を外部に放出できる。
なお、図４の換気冷却ユニット４の構成は一例であって、装置１を構成する装置類の収納位置、発熱量に応じて、各換気モジュール４１の上下を反転させて、吸排気の役割を担う換気モジュール４１の構成を調整することができる。
【００１４】
実施の形態２．
この発明の換気冷却ユニット付き制御盤装置の実施の形態２を図に基づいて説明する。
図５は、前面パネルを外した換気冷却ユニット付き制御盤装置１０１の斜視図である。この換気冷却ユニット付き制御盤装置１０１（以下装置１０１という）は、２台の筐体２を換気冷却ユニット１０４を間に挟んで接続し、更に左の筐体２の左側面にも換気冷却ユニット１０４を接続し、右の筐体２の右側面には換気冷却ユニット２０４を接続して構成されている。この図５においては装置１０１の左右両端面には化粧板を取り付けていないが、筐体２を増設しない場合にはこれを取り付けて使用する。
図６は装置１０１の断面図であり、換気冷却ユニット１０４、２０４を構成するの換気モジュール４１の配置を示している。
【００１５】
以下、この実施の形態２の装置１０１と実施の形態１の装置１との異なる部分を中心に説明する。
図５及び図６に示すように、換気冷却ユニット１０４の下から２段目及び４段目の換気モジュール４１（排気モジュール）にはラジアルファン６を備えている。このラジアルファン６は筐体２の内気を装置１０１の外部に排気する方向に回転する。
図５の各矢印は、ラジアルファン６が動作しているときの各換気モジュール４１における吸排気の方向を示している。各筐体２に注目すると、それぞれ筐体２では、右側に接続した換気冷却ユニット１０４、２０４の最下段及び下から３段目の換気モジュール（吸気モジュール）から吸入した外気を、各筐体２の左側に接続した換気冷却ユニット１０４のラジアルファンを備えた換気モジュール４１（排気モジュール）から外部に排気する。
【００１６】
この構成によると、実施の形態１と同様の効果を奏すると共に、強制的に内気を外部に排気するファンを設けたので、より高い換気冷却効果を奏する。
また、換気モジュールは上下を反転するだけで、左右にあるどちらの装置１０１にも対応できるので、筐体２に内蔵する装置によって最適な吸気と排気のバランスを調整できる。
また、ラジアルファンを備えている換気モジュール４１であっても、上下を反転させて利用できるので、部品構成の少ない換気冷却ユニット付き制御盤装置１０１を提供できる。
【００１７】
実施の形態３．
この発明の換気冷却ユニット付き制御盤装置２０１（以下装置２０１という）の実施の形態３を図に基づいて説明する。
図７は、装置２０１の断面図であり、実施の形態２より更に換気冷却能力を高めた換気冷却ユニットの構成を示す図である。
【００１８】
左端の換気冷却ユニット１０４は実施の形態２と同じものである。中央の換気冷却ユニット３０４の最下段と下から３段目の換気モジュール４１（吸気モジュール）には吸気用ラジアルファン６１を備えている。このラジアルファン６１は外気を筐体２の内部に吸入する方向に回転する。また、右端の換気冷却ユニット４０４の最下段と下から３段目の換気モジュール４１（吸気モジュール）も同様に吸気用ラジアルファン６１を備えている。
【００１９】
これにより、吸排気用換気モジュール共にラジアルファンを備え、換気冷却能力のより優れた換気冷却ユニット付き制御盤装置２０１を提供できる。
また、ラジアルファン６とラジアルファン６１の違いはモータの回転方向だけなので容易に吸排気を逆転でき、同じラジアルファン付き換気モジュール４１を上下反転して組み立てるだけで様々な構成の換気冷却ユニット付き制御盤装置を提供できる。
【符号の説明】
【００２０】
１  換気冷却ユニット付き制御盤装置、２  制御盤筐体、３  開口部、
４，１０４，２０４，３０４，４０４  換気冷却ユニット、４１  換気モジュール、
４２  換気口、４４  ボルト穴、５  隙間、６，６１  ラジアルファン、１０  換気口、Ａ  金属板、Ｂ  メッシュ板。
【図１】
2010246326.tif 000003
【図２】
2010246326.tif 000004
【図３】
2010246326.tif 000005
【図４】
2010246326.tif 000006
【図５】
2010246326.tif 000007
【図６】
2010246326.tif 000008
【図７】
2010246326.tif 000009